(57)【要約】【課題】処理が高速であり、かつ操作が容易なＲＡＷ現像処理を実現できる撮像装置及び現像方法を提供すること。【解決手段】本発明にかかる撮像装置１は、メモリ１０と、撮像部１０３と、画像処理部１０４と、通信部１０７と、を備える。撮像部１０３は、撮像処理によりＲＡＷデータを生成する。メモリ１０は、ＲＡＷデータの現像処理に用いられる現像パラメータの設定操作を受け付ける現像インターフェースを外部機器の表示手段に表示するために必要なインターフェース情報を記憶する。通信部１０７は、インターフェース情報をＰＣに送信し、ＰＣにおいて設定された現像パラメータを、ＰＣから取得する。画像処理部１０４は、通信部１０７が取得した現像パラメータに基づいて、ＲＡＷデータに対して現像処理を行い、表示用の現像データを生成する。【選択図】図１
2015032890.tif 000002
【特許請求の範囲】
【請求項１】
撮像処理によりＲＡＷデータを生成する撮像手段と、
前記ＲＡＷデータの現像処理に用いられる現像パラメータの設定操作を受け付ける現像インターフェースを外部機器の表示手段に表示するために必要なインターフェース情報を記憶する第１の記憶手段と、
前記インターフェース情報を前記外部機器に送信する送信手段と、
前記外部機器において設定された前記現像パラメータを、前記外部機器から取得する取得手段と、
前記取得手段が取得した前記現像パラメータに基づいて、前記ＲＡＷデータに対して現像処理を行い、表示用の現像データを生成する現像手段と、
を備える撮像装置。
【請求項２】
前記インターフェース情報は、前記現像手段の現像処理において設定可能な前記現像パラメータの種類を示す情報を含む請求項１に記載の撮像装置。
【請求項３】
前記インターフェース情報は、前記外部機器のウェブブラウザで表示可能な形式のデータである請求項１または２に記載の撮像装置。
【請求項４】
前記現像処理途中の中間データを記憶する第２の記憶手段をさらに備え、
前記現像手段は、前記中間データを前記第２の記憶手段から取得し、前記中間データに対して前記現像処理を続行する請求項１〜３のいずれか一項に記載の撮像装置。
【請求項５】
前記送信手段は、前記中間データを前記外部機器に送信する請求項４に記載の撮像装置。
【請求項６】
前記現像パラメータには、複数のパラメータが含まれ、
前記取得手段が前記外部機器から前記現像パラメータの一部を取得した場合、前記現像手段は、前記取得手段が取得した一部の前記現像パラメータを使用すると共に、その他の現像パラメータについては、以前に使用した前記現像パラメータを使用する請求項１〜５のいずれか一項に記載の撮像装置。
【請求項７】
前記取得手段は、前記外部機器から前記ＲＡＷデータを取得し、
前記現像手段は、前記取得手段が取得した前記現像パラメータに基づいて、前記取得手段が取得した前記ＲＡＷデータに対して現像処理を行う請求項１〜６のいずれか一項に記載の撮像装置。
【請求項８】
前記現像手段は、ユーザにより指定された前記ＲＡＷデータの一部を切り出し、切り出したＲＡＷデータのみに対して前記現像処理を行う請求項１〜７のいずれか一項に記載の撮像装置。
【請求項９】
前記現像データを表示する表示手段をさらに備え、
前記表示手段は、前記現像手段により切り出され、前記現像処理が行われた前記現像データのみを表示する請求項８に記載の撮像装置。
【請求項１０】
前記表示手段は、異なる前記現像パラメータを用いて前記現像処理が行われた複数の前記現像データを、１画面に並べて表示する請求項９に記載の撮像装置。
【請求項１１】
外部の表示装置に前記現像データを表示させる外部表示制御手段をさらに備え、
前記外部表示制御手段は、前記現像手段により切り出され、前記現像処理が行われた前記現像データのみを、前記表示装置に表示させる請求項８〜１０のいずれか一項に記載の撮像装置。
【請求項１２】
前記外部表示制御手段は、異なる前記現像パラメータを用いて前記現像処理が行われた複数の前記現像データを、１画面に並べて前記表示装置に表示させる請求項１１に記載の撮像装置。
【請求項１３】
撮像処理によりＲＡＷデータを生成するステップと、
前記ＲＡＷデータの現像処理に用いられる現像パラメータの設定操作を受け付ける現像インターフェースを外部機器の表示手段に表示するために必要なインターフェース情報を、前記外部機器に送信するステップと、
前記外部機器において設定された前記現像パラメータを、前記外部機器から取得するステップと、
取得した前記現像パラメータに基づいて、前記ＲＡＷデータに対して現像処理を行い、表示用の現像データを生成するステップと、
を備える現像方法。
【発明の詳細な説明】
【技術分野】
【０００１】
本発明は撮像装置及び現像方法に関する。
【背景技術】
【０００２】
近年のデジタルカメラには、静止画を記録するときに、イメージセンサから取得したＲＡＷデータを画像処理することなく、ＲＡＷデータのまま記録媒体に記録する機能が搭載されている。
【０００３】
しかし、このＲＡＷデータはそのままでは閲覧表示ができないため、閲覧時にはＲＡＷ現像と呼ばれる画像処理を行う必要がある。ＲＡＷ現像とは、画像処理を施さずに記録されたＲＡＷ形式の画像データ（ＲＡＷデータ）に対して、補完処理や階調補正、ホワイトバランス調整等の画像処理を施し、ＪＰＥＧ形式の新たな画像を作成して記録する処理である。これまではＲＡＷデータをＰＣ（Personal Computer）に取り込み、ＰＣにおいてＲＡＷ現像処理をすることが多かった。そして、近年ではデジタルカメラ本体でＲＡＷ現像処理を行う機能が提案されている（例えば、特許文献１、２）。
【先行技術文献】
【特許文献】
【０００４】
【特許文献１】特開２００６−１６６２５０号公報
【特許文献２】特開２００７−１３４９５８号公報
【発明の概要】
【発明が解決しようとする課題】
【０００５】
しかしながら、上記のＲＡＷ現像処理は非常に多くの演算処理が必要となる。そのため、非力なＰＣを使った現像処理では、画像１枚の処理に何分も時間を要したり、時間短縮のために高価な高性能のＰＣを購入したり、ＲＡＷデータを撮影した機種に対応する現像処理のための高価な専用アプリケーションを購入したりする必要があった。
【０００６】
一方、デジタルカメラ本体でのＲＡＷ現像処理は短時間で完了する。これは、デジタルカメラが、ＲＡＷ現像処理の専用ハードウェアを備えているためである。しかし、ＲＡＷ現像処理のためのパラメータの種類や数が非常に多いため、デジタルカメラに設けられた限られたボタン数と小さな表示画面では、パラメータを適切に意図した値に設定するのはとても手間が掛かるという問題があった。
【０００７】
本発明は、このような問題を解決するためになされたものであり、処理が高速であり、かつ操作が容易なＲＡＷ現像処理を実現できる撮像装置及び現像方法を提供することを目的としている。
【課題を解決するための手段】
【０００８】
本発明にかかる撮像装置は、撮像処理によりＲＡＷデータを生成する撮像手段と、前記ＲＡＷデータの現像処理に用いられる現像パラメータの設定操作を受け付ける現像インターフェースを外部機器の表示手段に表示するために必要なインターフェース情報を記憶する第１の記憶手段と、前記インターフェース情報を前記外部機器に送信する送信手段と、前記外部機器において設定された前記現像パラメータを、前記外部機器から取得する取得手段と、前記取得手段が取得した前記現像パラメータに基づいて、前記ＲＡＷデータに対して現像処理を行い、表示用の現像データを生成する現像手段と、を備えるものである。
【０００９】
本発明にかかる現像方法は、撮像処理によりＲＡＷデータを生成するステップと、前記ＲＡＷデータの現像処理に用いられる現像パラメータの設定操作を受け付ける現像インターフェースを外部機器の表示手段に表示するために必要なインターフェース情報を、前記外部機器に送信するステップと、前記外部機器において設定された前記現像パラメータを、前記外部機器から取得するステップと、取得した前記現像パラメータに基づいて、前記ＲＡＷデータに対して現像処理を行い、表示用の現像データを生成するステップと、を備えるものである。
【発明の効果】
【００１０】
本発明により、処理が高速であり、かつ操作が容易なＲＡＷ現像処理を実現できる撮像装置及び現像方法を提供することができる。
【図面の簡単な説明】
【００１１】
【図１】実施の形態１にかかる撮像装置のブロック図である。
【図２】実施の形態１にかかる撮像装置の動作を説明するためのシーケンス図である。
【図３】実施の形態１にかかる撮像装置の接続状態を説明するための図である。
【図４】実施の形態１にかかる画像処理部のブロック図である。
【図５】実施の形態２にかかる撮像装置のブロック図である。
【図６】実施の形態２にかかる撮像装置の接続状態を説明するための図である。
【発明を実施するための形態】
【００１２】
＜実施の形態１＞
以下、図面を参照して本発明の実施の形態について説明する。本実施の形態にかかる撮像装置１のブロック図を図１に示す。撮像装置１は、画像を撮像するためのレンズ及び撮像素子を用いて、静止画及び動画を撮像することができる。また、撮像装置１は、静止画または動画像を撮像でき、例えば液晶モニタ等の表示部を有するものであれば、その形状、及び構成は特に限定されるものではない。
【００１３】
＜撮像装置１の構成＞
撮像装置１は、制御部１０１と、レンズ部１０２と、撮像部１０３と、画像処理部１０４と、表示部１０５と、操作指示部１０６と、通信部１０７と、一時記憶部１０８と、記録制御部１０９と、記録媒体１１０と、を備える。
【００１４】
制御部１０１は、ＣＰＵ（Central Processing Unit）、各種プログラムが格納されたＲＯＭ（Read Only Memory）やＲＡＭ（Random Access Memory）等のメモリ１０を含む半導体集積回路により構成される。制御部１０１は、撮像処理、現像処理、及び各種画像の表示等の撮像装置１全体の処理を統括的に制御する。なお、制御部１０１のメモリ１０（第１の記憶手段）には、後述するインターフェース情報が格納されている。
【００１５】
レンズ部１０２は、ズームレンズやフォーカスレンズ等のレンズ群を含む。レンズ部１０２は、外部から入射した光を撮像部１０３に導く。
【００１６】
撮像部１０３は、例えばＣＣＤ（Charge Coupled Device）やＣＭＯＳ（Complementary Metal Oxide Semiconductor）等のイメージセンサである。撮像部１０３は、ユーザの操作に応じて、撮像処理を行い、ＲＡＷデータを生成する。このとき、ＲＡＷデータとは、イメージセンサが生成したデータそのものであり、現像処理や補正処理等の画像処理が施される前のデータである。撮像部１０３は、生成したＲＡＷデータを画像処理部１０４及び一時記憶部１０８に出力する。
【００１７】
画像処理部１０４（現像手段）は、現像パラメータに基づいて、ＲＡＷデータの現像処理を行い、現像データを生成する。このとき、現像パラメータとは、例えば、デモザイク処理、ガンマ補正処理、ホワイトバランス調整処理等の現像処理において使用するパラメータである。また、画像処理部１０４は、画像の拡大縮小、色彩補正等の画像処理を行う。なお、画像処理部１０４により生成される現像データは、例えば、ＪＰＥＧ形式のデータやＭＰＥＧ形式のデータ等であり、伸張処理を行うことにより表示部１０５で表示可能な表示用画像データである。画像処理部１０４は、生成した現像データを一時記憶部１０８に出力する。なお、現像処理の詳細については後述する。
【００１８】
表示部１０５は、制御部１０１の指示に応じて、現像データの表示や、各種設定用のメニュー画面、撮像装置１本体に関する情報等を表示する。表示部１０５は、例えば、ＬＣＤ（Liquid Crystal Display）や有機ＥＬ（Electro Luminescence）等である。
【００１９】
操作指示部１０６は、ユーザが撮像装置１に対して各種動作の指示を入力するための操作部である。操作指示部１０６は、例えば、ボタンやダイヤル、タッチパネル等である。
【００２０】
通信部１０７（取得手段、送信手段）は、撮像装置１外部の機器（図示省略）との間で通信を行う。通信部１０７は、無線接続（ＷｉＦｉ等）や有線接続（ＵＳＢケーブル等）を用いて、外部機器と接続される。通信部１０７は、外部機器と通信を行い、画像データやインターフェース情報、現像パラメータ等の各種データを送受信する。
【００２１】
一時記憶部１０８（第２の記憶手段）は、ＲＡＷデータや現像処理途中のデータ等を格納するメモリである。また、一時記憶部１０８は、制御部１０１のワークエリアとしても用いられる。一時記憶部１０８は、例えばＤＲＡＭ（Dynamic Random Access Memory）等である。
【００２２】
記録制御部１０９は、一時記憶部１０８に格納されたＲＡＷデータや現像データ等を記録媒体１１０に記録するための制御部であり、記録媒体１１０におけるデータの読み出し、書き込みを制御する。
【００２３】
記録媒体１１０は、ＲＡＷデータや現像データ等を記録するメモリである。記録媒体１１０は、例えば、ＳＤカード等の外部メモリであり、撮像装置１に脱着可能に設けられている。
【００２４】
＜撮像装置１の動作＞
続いて、本実施の形態にかかる撮像装置１の動作について、図２に示すシーケンス図を参照して説明する。なお、本実施の形態においては、外部機器としてＰＣを用いる。図３に示すように、撮像装置１は、例えば、ＵＳＢケーブルを介してＰＣ９１と接続される。また、ＰＣ９１は表示手段としてモニタ９２を有する。
【００２５】
まず、ＰＣ９１は、ユーザの操作に応じて、現像パラメータを設定するためのアプリケーション（ソフトウェア）を起動する（ステップＳ１０１）。アプリケーションが起動すると、ＰＣ９１は、撮像装置１が接続されていることを認識する。そして、ＰＣ９１が、現像処理モードを実行する旨の通知を撮像装置１に送信する（ステップＳ１０２）。例えば、ユーザがアプリケーションを操作することにより、撮像装置１に対して現像処理を開始する旨の通知が送信される。このとき、ＰＣ９１は、現像処理の開始の通知に併せて、インターフェース情報の取得要求も撮像装置１に送信する。なお、上記のアプリケーションは、予めＰＣ９１に格納されているものとする。また、当該アプリケーションは、撮像装置の機種に依存しない汎用的なアプリケーションであり、撮像装置１から送信されるインターフェース情報に基づいて、撮像装置１専用の現像インターフェースを構築する。現像インターフェースとは、現像パラメータを設定するための操作を受け付けるインターフェースのことを意味する。
【００２６】
撮像装置１は、現像処理モードを実行する旨の通知を受けると、制御部１０１のメモリ１０に予め格納されたインターフェース情報をＰＣ９１に送信する（ステップＳ１０３）。このとき、撮像装置１は、インターフェース情報に加えて、撮像装置１本体に関する情報や現像処理の対象となるＲＡＷデータに関する情報等を併せて送信してもよい。
【００２７】
ここで、インターフェース情報とは、現像インターフェースをＰＣ９１のモニタ９２において表示するための情報である。具体的には、現像パラメータに関する情報、撮像装置１が対応する制御命令の内容、現像インターフェースの表示に使用する画像データ等がインターフェース情報に含まれる。このとき、現像パラメータに関する情報とは、例えば、現像パラメータの種類、現像パラメータの取り得る範囲（上限及び下限）、現像パラメータの初期値、現像パラメータの刻み幅、現像パラメータの単位、現像パラメータのデータ量、現像パラメータの選択肢のリスト等である。
【００２８】
また、撮像装置１本体に関する情報とは、撮像装置１の仕様に関する情報であり、撮像装置１の表示部１０５のモニタサイズ（解像度）や、一時記憶部１０８の容量、撮像装置１の機種名、及び撮像装置１が処理可能な補正処理の種類等である。これらの情報を送信することにより、ＰＣ９１が撮像装置１へ各種データを送信する際に、ＰＣ９１は送信する各種データを撮像装置１の仕様に合わせることができる。なお、現像パラメータに関する情報及び撮像装置１本体に関する情報は、撮像装置のメーカや機種に依存する固有の情報である。ＲＡＷデータに関する情報とは、現像対象となるＲＡＷデータを特定するための情報であり、例えば、ＲＡＷデータのファイル名やデータサイズ、作成日時等である。
【００２９】
次に、ＰＣ９１は、受信したインターフェース情報に基づいて、現像インターフェースを構築する（ステップＳ１０４）。具体的には、ＰＣ９１は、撮像装置１において使用可能な現像パラメータの種類等を示す情報を含む現像インターフェースをＰＣ９１のモニタ９２に表示する。これにより、ユーザは、モニタ９２に表示された現像インターフェースを用いて、現像パラメータを設定（調整）することができる。
【００３０】
その後、ユーザは、現像インターフェースを用いて、現像パラメータを設定する（ステップＳ１０５）。現像パラメータの設定とは、現像インターフェースを用いて、各種現像パラメータの値を入力することに加えて、使用する現像パラメータの種類を選択したり、現像処理に含まれる複数の補正処理のうち実行すべき補正処理を選択したりすること等も含む。
【００３１】
ＰＣ９１において現像パラメータの設定が完了すると、ＰＣ９１は、設定された現像パラメータを撮像装置１に送信する（ステップＳ１０６）。撮像装置１は、受信した現像パラメータに基づいて、画像処理部１０４を用いて現像処理を実行する（ステップＳ１０７）。これにより、表示部１０５において表示可能な形式（たとえばＹＣｂＣｒ形式）の現像データが生成される。
【００３２】
制御部１０１は、画像処理部１０４により生成された現像データを表示部１０５に表示させる（ステップＳ１０８）。これにより、ユーザは、設定した現像パラメータを用いて現像処理が行われた現像データが意図した画像になっているか否かを確認することができる。意図した画像になっていれば、ユーザの操作に応じて、撮像装置１は、現像結果を記録媒体１１０に保存したり、ＰＣ９１に送信してＰＣ９１内の記録媒体に保存したりする。
【００３３】
なお、制御部１０１は、異なる現像パラメータを用いて現像された複数の現像データを表示部１０５に並べて表示させてもよい。これにより、ユーザは、異なる現像パラメータの現像結果を容易に比較することができる。
【００３４】
＜現像処理の詳細＞
ここで、図４に示すブロック図を参照して、画像処理部１０４における現像処理の詳細について説明する。図４に示すブロック図は、画像処理部１０４に含まれる機能ブロックである。画像処理部１０４は、ＲＡＷ処理部４０１と、ＲＧＢ処理部４０２と、ＹＣ処理部４０３と、を有する。撮像部１０３が生成する画像データ（ＲＡＷデータ）は各処理を経てＲＡＷデータ→ＲＧＢデータ→ＹＣデータという形式に変化する。なお、一般的に、ＲＡＷデータのままでは閲覧表示はできず、ＲＧＢデータまたはＹＣデータの形式では閲覧表示が可能である。
【００３５】
ＲＡＷ処理部４０１は、ＲＡＷデータの各画素（ピクセル）に対して、処理対象となる画素の周囲の画素の値を用いて演算を行い、処理対象の画素の補完処理（いわゆるデモザイク処理）を行う。これにより、ＲＡＷ形式のデータがＲＧＢ形式のデータに変換される。ＲＡＷ処理部４０１は、生成したＲＧＢデータをＲＧＢ処理部４０２に出力する。このとき、ＲＧＢデータとは、各画素に赤、緑、青の３色の値が含まれるデータである。
【００３６】
ＲＧＢ処理部４０２は、ＲＧＢデータに対して画像処理を行い、ＹＣ（ＹＣｂＣｒ）形式のデータに変換する。ＹＣデータへの変換は、ＪＰＥＧ圧縮やＭＰＥＧ圧縮のための前処理として行われる。ＲＧＢ処理部４０２は、生成したＹＣデータをＹＣ処理部４０３に出力する。このとき、ＹＣデータは、各画素における輝度情報及び色差信号が含まれるデータである。
【００３７】
ＹＣ処理部４０３は、ＲＧＢ処理部４０２において生成されたＹＣデータに対して、ガンマ補正等の各種補正処理を実行する。ＹＣ処理部４０３において補正されたＹＣデータは圧縮されてＪＰＥＧ形式のデータとなる。
【００３８】
なお、上記のように、ＲＡＷ現像処理の途中では、例えばＲＧＢのデータを入力してＲＧＢ処理を行っており、この段階ではＲＡＷのデータを処理しているわけではないが、説明を簡単にするため、以下の説明ではこれら処理の全体、もしくは一部を総称として“現像処理”と称す。特にその処理を特定して強調したい場合にのみＲＧＢ処理、ＹＣ処理などと個別の表現をする。撮像装置１の画像処理部１０４内には現像処理を行うための専用ハードウェア（処理回路）が搭載されているため、現像処理は短時間のうちに完了することができる。
【００３９】
また、各処理内ではさらに細分化された処理が行われている。たとえばＲＡＷ処理部ではＲＡＷからＲＧＢへの変換を行うデモザイク処理が主たる処理であるが、前処理として各色のゲインを調整したり、ノイズ除去処理を行うなど様々な処理が行われている。それらの処理のためには多くの現像パラメータが必要である。現像パラメータの簡単な例としては処理のＯＮ／ＯＦＦを切り替えるための１ｂｉｔデータであり、複雑な例としては数ＫＢにもおよぶデータの場合もある。なお、画像処理部１０４において行われる現像処理は、既存の手法を用いることができるため、さらに詳細な説明は省略する。
【００４０】
以上のように、本実施の形態にかかる撮像装置１の構成によれば、制御部１０１のメモリ１０が、インターフェース情報として現像パラメータの種類等を記憶する。通信部１０７は、インターフェース情報をＰＣ９１に送信する。また、通信部１０７は、ＰＣ９１において設定された現像パラメータを受信する。そして、画像処理部１０４は、受信した現像パラメータを用いて、現像処理を行う。このため、現像パラメータの設定（調整）は、操作性及び視認性が高いＰＣ９１において行うことができる。その結果、容易に現像パラメータの設定を行うことができる。また、現像処理自体は、ＰＣ９１ではなく、現像専用のハードウェアを備える撮像装置１の画像処理部１０４において行われる。したがって、現像処理の高速化を実現することができる。
【００４１】
さらに、撮像装置１は、現像パラメータの種類等を含むインターフェース情報をＰＣ９１に送信する。このため、ＰＣ９１は、撮像装置１において設定（調整）可能な現像パラメータの種類を、予め認識しておく必要がない。つまり、ＰＣ９１は、現像パラメータを設定する汎用的なアプリケーションさえ備えていればよく、撮像装置１に特化した現像パラメータの設定アプリケーションを備えていなくてもよい。したがって、撮像装置の機種に依存することなく、ＰＣ９１において現像インターフェースを構築することができる。
【００４２】
（変形例１）
本実施の形態にかかる変形例１について説明する。現像処理においては、現像パラメータを少しずつ変更して、ユーザが意図する現像結果になるまで現像処理と結果の確認を何度も繰り返すような場合がある。たとえば、図４のＲＡＷ処理部４０１に対して設定されたパラメータに関して、最適な条件を見つけたあと、ＲＧＢ処理のパラメータを見つけ出すためにＲＧＢ処理のパラメータを何度も変更するような場合である。このような状況においては、既に現像パラメータを決定したＲＡＷ処理まで何度も繰り返すのは無駄である。
【００４３】
変形例１にかかる撮像装置１は、現像処理途中の結果（上記の例においてはＲＡＷ処理の結果であるＲＧＢデータ。以下、中間データとも称す。）を一時記憶部１０８であるＤＲＡＭに保存する。そして、画像処理部１０４は、一時記憶部１０８から中間データを取得し、変更された現像パラメータ（上記の例においては、ＲＧＢ処理のパラメータ）を用いて現像処理を続行する。これにより、ＲＡＷ処理を繰り返すことなく、ＲＧＢ処理以降の処理のみを繰り返すだけでよい。その結果、同じパラメータによるＲＡＷ処理を省略することができ、現像処理の効率化、高速化を図ることができる。
【００４４】
また、制御部１０１は、一時記憶部１０８に保存された中間データをＰＣ９１に送信してもよい。例えば、ＰＣ９１が有している現像用のアプリケーションが、撮像装置１の画像処理部１０４の現像処理よりも高機能、多機能である場合を考える。このような場合に、中間データをＰＣ９１に送信することにより、画像処理部１０４ではできない処理だけはＰＣ９１において行い、それ以外の処理は撮像装置１において行うこともできる。
【００４５】
（変形例２）
本実施の形態にかかる変形例２について説明する。ＰＣ９１において設定された現像パラメータを撮像装置１に送信した後、現像パラメータの一部のみを変更する場合が考えられる。この場合、変更された現像パラメータを用いて再度現像処理を行うが、変更された現像パラメータは一部である。そのため、現像パラメータが変更される毎に全ての現像パラメータを送信すると、変更されていない現像パラメータの送信は無駄となる。
【００４６】
変形例２にかかる撮像装置１は、現像パラメータの一部のみをＰＣ９１から取得した場合、それ以外の現像パラメータは再度受け取ることはない。つまり、現像装置１は、ＲＡＷ処理、ＲＧＢ処理、及びＹＣ処理において使用した現像パラメータを一時記憶部１０８に格納しておく。そして、撮像装置１は、ＰＣ９１から受け取らなかった現像パラメータについては、一時記憶部１０８を参照して、以前に現像処理で使用した現像パラメータを再利用する。これにより、ＰＣ９１は、変更された現像パラメータの一部のみを撮像装置１へ送信すればよく、現像パラメータが変更される毎に全ての現像パラメータを送信する必要が無い。その結果、現像パラメータの送受信の効率化を図ることができる。
【００４７】
（変形例３）
本実施の形態にかかる変形例３について説明する。現像処理においては、１枚の画像のうち一部分の結果を意図した状態（明るさ、色合い、シャープネス等）にしたい場合がある。例えば、空の色を好みの青色にしたい場合や、人の顔をよりはっきりさせたい場合などである。この場合、現像パラメータの変更を行うたびに画像全体の現像処理をするのは無駄となる。
【００４８】
変形例３にかかる撮像装置１は、１枚の画像から一部分を切り出して現像処理を行う。具体的には、撮像装置１は、ＰＣ９１から現像パラメータと共に、画像データ（ＲＡＷデータ）のうちの現像処理を行うべき領域の座標を受信する。そして、画像処理部１０４は、受信した座標に対応する領域をＲＡＷデータから切り出し、切り出したＲＡＷデータのみに対して現像処理を行う。そして、制御部１０１は、現像処理の結果（現像データ）を撮像装置１の表示部１０５に表示させる。ユーザは、現像処理が行われた領域が意図した結果でなければ、再度現像パラメータを変更する。一方、現像処理が行われた領域が意図した結果であれば、ユーザは、当該現像パラメータを用いて、画像全体を現像するように、撮像装置１に指示する。このように、１枚の画像から一部分を切り出して現像処理を行うことにより、ユーザが意図する現像結果になるまで繰り返される現像処理のデータ量を減少させることができる。その結果、現像処理を効率的に行うことができる。
【００４９】
さらに、制御部１０１は、現像データの一部分のみを表示部１０５に表示させてもよい。つまり、制御部１０１は、画像処理部１０４によって切り出され、現像処理が行われた部分のみを表示部１０５に表示させる。これにより、表示部１０５には、ユーザが指定した画像の一部分のみが表示される。このため、ユーザは、現像データ全体から切り出した部分を探す必要がなく、現像結果を容易に確認することができる。
【００５０】
（変形例４）
本実施の形態にかかる変形例４について説明する。変形例４にかかる撮像装置１は、撮像装置１本体に装着された記録媒体１１０上のＲＡＷデータだけでなく、ＰＣ９１に保存されているＲＡＷデータも現像することができる。
【００５１】
具体的には、撮像装置１は、ＰＣ９１において現像インターフェースを用いて設定された現像パラメータと、ＰＣ９１に予め格納されているＲＡＷデータと、をＰＣ９１から受信する。そして、画像処理部１０４は、受信した現像パラメータを用いて、受信したＲＡＷデータの現像処理を行う。これにより、ＰＣ９１の処理能力が現像処理を行うには低い場合であっても、現像処理自体は撮像装置１において実行できる。つまり、ＰＣ９１に接続された撮像装置１を現像装置として使用することができる。これにより、ＰＣ９１は現像パラメータを設定するための現像インターフェースを実行できる処理能力さえ有していれば、ＰＣ９１に格納されたＲＡＷデータを現像することができる。
【００５２】
（変形例５）
本実施の形態にかかる変形例５について説明する。変形例５にかかる撮像装置１は、制御部１０１のメモリ１０にインターフェース情報として、ＨＴＭＬ（Hyper Text Markup Language）ファイルを格納している。当該インターフェース情報は、ＨＴＭＬファイルであるため、ウェブブラウザを用いて閲覧することができる。
【００５３】
具体的には、制御部１０１のメモリ１０は、ＰＣ９１のウェブブラウザにおいて表示される現像インターフェースの文字（例えば、現像パラメータの種類や値を示す文字等）、文字及び画像の配置位置、及びインターフェース全体のレイアウト等に関する情報が含まれるＨＴＭＬファイルを予め格納している。また、制御部１０１のメモリ１０は、現像インターフェースに用いるアイコン等の画像データも格納している。そして、撮像装置１は、上記のＨＴＭＬファイル及び必要な画像データを、インターフェース情報としてＰＣ９１に送信する。
【００５４】
ＰＣ９１は、ウェブブラウザを用いて、受信したＨＴＭＬファイルを開くことにより、ＰＣ９１のモニタ９２に現像インターフェースを表示することができる。つまり、現像インターフェースを表示するためには、ＰＣ９１はウェブブラウザ機能を有しているだけでよく、特別な現像アプリケーションを必要としない。したがって、ＰＣ９１が撮像装置専用の現像アプリケーションを予め有している必要はない。その結果、撮像装置の機種に依存することなく、ＰＣ９１において現像インターフェースを構築することができる。
【００５５】
なお、撮像装置１において実行される処理、現像パラメータ、及び現像インターフェースの操作方法等を説明するための文章情報を、ＨＴＭＬファイルに含めておくことにより、ユーザは、より理解を深めながら現像パラメータの設定等を行うことができる。また、ウェブブラウザを用いて表示可能なファイルはＨＴＭＬ形式に限られず、ＸＨＴＭＬ（Extensible Hyper Text Markup Language）や、ＸＭＬ（Extensible Markup Language）等であってもよい。
【００５６】
＜実施の形態２＞
本発明にかかる実施の形態２について説明する。本実施の形態にかかる撮像装置２のブロック図を図５に示す。撮像装置２は、実施の形態１において説明した撮像装置１の構成に加えて、外部表示制御部２０１を備える。なお、その他の構成については撮像装置１と同様であるので、説明を適宜省略する。
【００５７】
外部表示制御部２０１は、撮像装置２の外部の表示装置に接続され、当該表示装置の表示を制御する。図６に示すように、撮像装置２は、例えば、ＨＤＭＩ（登録商標）（High Definition Multimedia Interface）ケーブルを介して表示装置９３と接続される。表示装置９３としては、例えば、テレビやＰＣモニタ等であり、撮像装置２の表示部１０５よりもサイズの大きい画面を有する。外部表示制御部２０１は、画像処理部１０４により現像された現像データを表示装置９３に送信し、表示装置９３に送信した現像データに対応する画像を表示させる。なお、現像パラメータの調整については、実施の形態１と同様に、ＰＣ９１及びモニタ９２を用いて行われる。
【００５８】
以上のように、本実施の形態にかかる撮像装置２の構成によれば、外部表示制御部２０１が、撮像装置２に設けられた表示部１０５とは異なる外部の表示装置９３に、現像処理が完了した画像を表示させる。これにより、ユーザは、表示部１０５よりも大きな画面で、現像処理の結果を確認できる。したがって、視認性を向上させることができる。
【００５９】
なお、外部表示制御部２０１は、現像途中の中間データに基づく画像を表示装置９３に表示させてもよい。例えば、現像途中の画像として、ＲＡＷ処理後のＲＧＢデータの画像を表示させることにより、ユーザは、ＲＡＷ処理が意図する結果となっているかを大きな画面で確認することができる。
【００６０】
同様に、外部表示制御部２０１は、現像された画像の一部のみを表示装置９３に表示させてもよい。これにより、ユーザは、画像の一部の領域の現像処理が意図する結果となっているかを大きな画面で確認することができる。
【００６１】
また、外部表示制御部２０１は、異なる現像パラメータを用いて現像処理が施された複数の現像データを、表示装置９３の画面に並べて表示させてもよい。これにより、ユーザは、複数の異なる現像パラメータにより現像された現像データを大きな画面で比較することができる。
【００６２】
なお、本発明は上記実施の形態に限られたものではなく、趣旨を逸脱しない範囲で適宜変更及び組み合わせすることが可能である。
【符号の説明】
【００６３】
１、２  撮像装置
１０  メモリ
９１  ＰＣ
９２  モニタ
９３  表示装置
１０１  制御部
１０２  レンズ部
１０３  撮像部
１０４  画像処理部
１０５  表示部
１０６  操作指示部
１０７  通信部
１０８  一時記憶部
１０９  記録制御部
１１０  記録媒体
２０１  外部表示制御部
【図１】
2015032890.tif 000003
【図２】
2015032890.tif 000004
【図３】
2015032890.tif 000005
【図４】
2015032890.tif 000006
【図５】
2015032890.tif 000007
【図６】
2015032890.tif 000008